(57)【要約】【課題】ソール構造において、適切なクッション性を保ちながら、摩耗などの経年劣化を抑制することができるようにする。【解決手段】ソール構造１は、弾性材からなるミッドソール２と、ミッドソール２の下側に積層配置されたアウトソール３と、を備えている。アウトソール３は、アウトソール３の下側に設けられた略平坦面状の基準面４と、基準面４に下方に向かって突設され、基準面４よりも下方に位置する突出面１２ａが形成された各スタッド部１２と、を有している。ミッドソール２の下部には、各スタッド部１２の上側に対向する位置で下部ミッドソール２ｂの下面から凹陥したミッドソール側凹部２ｄとアウトソール３の上部との間に囲まれたミッドソール側空隙部６が設けられている。【選択図】図４
2019122544.tif 000002
【特許請求の範囲】
【請求項１】
弾性材からなるミッドソールと、該ミッドソールの下側に積層配置されたアウトソールと、を備えるシューズ用ソール構造であって、
前記アウトソールは、
前記アウトソールの下側に設けられた略平坦面状の基準面と、
前記基準面に下方に向かって突設され、前記基準面よりも下方に位置する突出面が形成されたスタッド部と、を有し、
前記ミッドソールの下部には、前記スタッド部の上側に対向する位置で前記ミッドソールの下面から凹陥したミッドソール側凹部と前記アウトソールの上部との間に囲まれたミッドソール側空隙部が設けられている、ソール構造。
【請求項２】
請求項１に記載のソール構造において、
前記スタッド部は、前記突出面の表面積が前記ミッドソール側凹部の開口面積よりも小さくなるように形成されている、ソール構造。
【請求項３】
請求項１または２に記載のソール構造において、
前記スタッド部の上側には、前記アウトソールの上面から凹陥したアウトソール側凹部と前記ミッドソールの下部との間に囲まれたアウトソール側空隙部が設けられており、
前記スタッド部は、前記突出面に外力が作用したときに前記アウトソール側空隙部が圧縮変形して、前記突出面が前記基準面に向かって接近するように上下移動可能に構成されている、ソール構造。
【請求項４】
請求項３に記載のソール構造において、
前記ミッドソール側空隙部には、前記ミッドソール側凹部の底部から前記アウトソールに向かって下方に延びるミッドソール側リブ部が設けられており、
前記アウトソール側空隙部には、前記アウトソール側凹部の底部から前記ミッドソールに向かって上方に延びかつ前記ミッドソール側リブ部の下端部と当接するアウトソール側リブ部が設けられている、ソール構造。
【請求項５】
請求項１〜４のいずれか１項に記載のソール構造を備えた、シューズ。
【発明の詳細な説明】
【技術分野】
【０００１】
本発明は、ソール構造およびそれを用いたシューズに関するものである。
【背景技術】
【０００２】
従来、スポーツシューズのソール構造として、例えば特許文献１のようなソール構造が提案されている。
【０００３】
特許文献１には、ミッドソールの下側に積層配置されたアウトソールを備えたソール構造が開示されている。このアウトソールは、くつ底表面と、くつ底表面に下方に向かって突設されたスタッド部と、を有している。スタッド部の上側には、アウトソール上面から凹陥した凹部が形成されており、この凹部とミッドソールの下部との間に囲まれた空洞（空洞８）が設けられている。スタッド部は、下面に外力が作用したときに、上記空洞が上下方向に変形しかつ下面がくつ底表面と整列するように上下移動可能に構成されている。
【先行技術文献】
【特許文献】
【０００４】
【特許文献１】特許第５７９７７６０号公報
【発明の概要】
【発明が解決しようとする課題】
【０００５】
特許文献１のソール構造では、スタッド部（特に凹部とミッドソールの下部との間に囲まれた空洞）が変形することによりクッション性が得られるようになっている。その一方、スタッド部の下面が路面に接地したときにスタッド部の下面と路面との間に摩耗が生じやすくなっている。しかしながら、スタッド部の上側にスタッド部の上下変形を促すための凹部が形成されていることから、スタッド部の厚みが自ずと制約されてしまい、スタッド部の肉厚を十分に確保することが困難となっていた。その結果、特許文献１のソール構造では、スタッド部に対する摩耗などの影響による経年劣化を抑制することができなかった。
【０００６】
本発明は斯かる点に鑑みてなされたものであり、その目的は、適切なクッション性を保ちながら、摩耗などの経年劣化を抑制することができるようにすることにある。
【課題を解決するための手段】
【０００７】
上記の目的を達成するために、本発明に係るソール構造およびそれを用いたシューズでは、ミッドソールの構造に工夫を加えることにより、適切なクッション性を保ちながら、摩耗などの経年劣化を抑制することができるようにした。
【０００８】
具体的に、本発明の第１の形態はソール構造に係るものであり、このソール構造は、弾性材からなるミッドソールと、ミッドソールの下側に積層配置されたアウトソールと、を備えている。アウトソールは、アウトソールの下側に設けられた略平坦面状の基準面と、基準面に下方に向かって突設され、基準面よりも下方に位置する突出面が形成されたスタッド部と、を有している。そして、ミッドソールの下部には、スタッド部の上側に対向する位置でミッドソールの下面から凹陥したミッドソール側凹部とアウトソールの上部との間に囲まれたミッドソール側空隙部が設けられていることを特徴とする。
【０００９】
第１の形態では、ミッドソール側空隙部をスタッド部の真上に設けたことにより、接地時に路面から受ける反発力などの外力がスタッド部の突出面に作用すると、スタッド部がミッドソール側空隙部に向かって上下移動するようになる。これにより、ソール構造のクッション性が発揮されるようになる。そして、第１の形態では、スタッド部を上下移動させるための要素として、従来技術のようにスタッド部上側にアウトソール上面から凹陥した凹部を特に設けなくてもよい。このため、スタッド部の厚みが特に制約されず、各スタッド部の厚みを比較的大きくすることにより、スタッド部に対する摩耗などの影響による経年劣化を抑制することが可能となる。したがって、第１の形態では、適切なクッション性を保ちながら、摩耗などの経年劣化を抑制することができる。
【００１０】
第２の形態は、第１の形態において、スタッド部は、突出面の表面積がミッドソール側凹部の開口面積よりも小さくなるように形成されていることを特徴とする。
【００１１】
第２の形態では、突出面に外力が作用したときに、突出面が基準面に接近して、突出面を含めたスタッド部の全体がミッドソール側空隙部内に入り込みやすくなる。このように、スタッド部の上下移動が促される結果、ソール構造のクッション性をより一層高めることができる。
【００１２】
第３の形態は、第１または第２の形態において、スタッド部の上側には、アウトソールの上面から凹陥したアウトソール側凹部とミッドソールの下部との間に囲まれたアウトソール側空隙部が設けられており、スタッド部は、突出面に外力が作用したときにアウトソール側空隙部が圧縮変形して、突出面が基準面に向かって接近するように上下移動可能に構成されていることを特徴とする。
【００１３】
第３の形態では、上記第１または第２の形態と比較して、アウトソール側空隙部の圧縮変形によりスタッド部の上下移動が促される結果、ソール構造のクッション性をより一層高めることができる。
【００１４】
第４の形態は、第３の形態において、ミッドソール側空隙部には、ミッドソール側凹部の底部からアウトソールに向かって下方に延びるミッドソール側リブ部が設けられている。アウトソール側空隙部には、アウトソール側凹部の底部からミッドソールに向かって上方に延びかつミッドソール側リブ部の下端部と当接するアウトソール側リブ部が設けられていることを特徴とする。
【００１５】
第４の形態では、ミッドソール側リブ部およびアウトソール側リブ部を設けることにより、ソール構造の製造時にアウトソールとミッドソールとの圧着工程でミッドソール側空隙部およびアウトソール側空隙部が不意に押し潰れされないようにその内部空間を維持することができる。
【００１６】
第５の形態は、第１〜第４の形態のいずれか１つのソール構造を備える、シューズである。
【００１７】
この第５の形態では、上記第１〜第４の形態と同様の作用効果を奏するシューズを得ることができる。
【発明の効果】
【００１８】
以上説明したように、本発明によると、適切なクッション性を保ちながら、摩耗などの経年劣化を抑制することができる。
【図面の簡単な説明】
【００１９】
【図１】図１は、本発明の第１実施形態に係るソール構造の底面図である。
【図２】図２は、ソール構造を内甲側から見て示す側面図である。
【図３】図３は、図１のIII−III線断面図である。
【図４】図４は、図３のIV部を拡大して示す部分拡大断面図である。
【図５】図５は、図４に示したスタッド部の突出面に外力が作用したときの状態を示す図４相当図である。
【図６】図６は、本発明の第２実施形態に係るソール構造のスタッド部を概略的に示す部分拡大底面図である。
【図７】図７は、図６のVII−VII線断面図である。
【図８】図８は、本発明の第２実施形態に係るソール構造の変形例としてスタッド部の断面構造を示す図７相当図である。
【発明を実施するための形態】
【００２０】
以下、本発明の各実施形態を図面に基づいて詳細に説明する。以下の各実施形態の説明は、本質的に例示に過ぎず、本発明、その適用物或いはその用途を制限することを意図するものではない。
【００２１】
［第１実施形態］
図１および図２は、本発明の第１実施形態に係るソール構造１の全体を示しており、ソール構造１は、着用者の足裏面を支持するためのものである。このソール構造１にアッパー（図示せず）などが設けられたシューズは、例えばウォーキングシューズやランニングシューズ、インドア競技用シューズ、または土や芝生の上で行われる球技用シューズなどに適用可能なシューズとして使用される。
【００２２】
ここで、ソール構造１は、左足用シューズのソール構造のみを例示している。右足用シューズのソール構造は、左足用シューズのものと左右対称になるように構成されているので、以下の説明では左足用シューズのソール構造のみについて説明し、右足用シューズのソール構造の説明は省略する。
【００２３】
また、以下の説明において、上方（上側）および下方（下側）とはソール構造１の上下方向の位置関係を表し、前方（前側）および後方（後側）とはソール構造１の前後方向の位置関係を表すものとする。
【００２４】
図１および図２に示すように、ソール構造１は、前足部から後足部までの足裏面全体を支持するミッドソール２と、ミッドソール２の下側に積層配置されたアウトソール３，３，…とを備えている。
【００２５】
ミッドソール２は、軟質の弾性材からなり、例えばエチレン−酢酸ビニル共重合体（ＥＶＡ）等の熱可塑性合成樹脂やその発泡体、ポリウレタン（ＰＵ）等の熱硬化性樹脂やその発泡体、ブタジエンラバーやクロロプレンラバー等のラバー素材やその発泡体などが適している。
【００２６】
ミッドソール２は、上下に分離されている。具体的に、ミッドソール２は、上部ミッドソール２ａと、上部ミッドソール２ａの下側に積層配置された下部ミッドソール２ｂとを有している。
【００２７】
上部ミッドソール２ａの上部には、足裏面を支持する足裏支持面２ｃが前後方向に延びるように形成されている。上部ミッドソール２ａの周縁部には、着用者の足を覆うアッパー（図示せず）が設けられている。
【００２８】
下部ミッドソール２ｂには、その下面から凹陥したミッドソール側凹部２ｄ，２ｄ，…が形成されている。各ミッドソール側凹部２ｄは、後述する各スタッド部１２の上側に対向する位置に配置されている。各ミッドソール側凹部２ｄは、断面視で下部ミッドソール２ｂの下面から上方に向かって先細るように形成されている。そして、下部ミッドソール２ｂの下部には、ミッドソール側凹部２ｄ，２ｄ，…とアウトソール３の上部との間に囲まれたミッドソール側空隙部６，６，…が設けられている。
【００２９】
上部および下部ミッドソール２ａ，２ｂ間には、着用者の足の後足部に対応する位置に配設された補強プレート７が設けられている。補強プレート７は、上部および下部ミッドソール２ａ，２ｂよりも硬質な薄肉層からなり、凹凸が前後方向に繰り返された波形状に形成されている。なお、補強プレート７としては、上記波形状に形成されたものに限られず、例えば平板状に形成されたものであってもよい。
【００３０】
次に、アウトソール３，３，…は、着用者の前足部から後足部に亘る範囲に設けられている。アウトソール３，３，…は、ミッドソール２よりも高硬度の硬質弾性部材で構成されており、例えばエチレン−酢酸ビニル共重合体（ＥＶＡ）等の熱可塑性樹脂、ポリウレタン（ＰＵ）等の熱硬化性樹脂、またはブタジエンラバーやクロロプレンラバー等のラバー素材が適している。
【００３１】
図３に示すように、アウトソール３は、その下側に形成された略平坦面状の基準面４を有している。この基準面４は、着用者が走行中または歩行中にソール構造１が路面に接地するときの主な接地面となるように構成されている。
【００３２】
アウトソール３の基準面４には、所定の突出高さを有する複数のスタッド部１２，１２，…が設けられている。スタッド部１２，１２，…は、主に着用者の足の前足部に対応する位置に配置されたアウトソール３に設けられている（図１参照）。
【００３３】
各スタッド部１２は、底面視で基準面４から下方に向かって略四角形状に突設されている。各スタッド部１２は、例えばアウトソール３と同一の材料からなり、基準面４に対して上下移動可能となるようにアウトソール３と一体に形成されている。
【００３４】
図３〜図５に示すように、各スタッド部１２は、断面視で基準面４から下方に向かって先細るように形成されている。各スタッド部１２の下部には、略平坦面状の突出面１２ａが設けられている。突出面１２ａは、底面視で略矩形状に形成されている（図１参照）。
【００３５】
そして、ソール構造１を備えたシューズを着用した着用者が走行している場合において、各スタッド部１２は、突出面１２ａが基準面４に向かって接近するように上下移動可能に構成されている。
【００３６】
具体的に、図５に示すように、接地時に路面等から受ける反発力などの外力Ｆがスタッド部１２の突出面１２ａに作用すると、スタッド部１２の上部と連続しているアウトソール３の付け根部３ａ，３ａがミッドソール側空隙部６の内部に向かって入り込むように弾性変形する。この付け根部３ａ，３ａの弾性変形により、スタッド部１２がミッドソール側空隙部６に向かって接近するようになる。さらに、突出面１２ａに外力Ｆが作用し続けると、スタッド部１２の全体がその形状を維持しながらミッドソール側空隙部６の内部に収容された状態となる。この収容状態では、突出面１２ａが付け根部３ａ，３ａを除くアウトソール３の基準面４と略面一となっている。
【００３７】
このように、スタッド部１２は、突出面１２ａに外力Ｆが作用したときにスタッド部１２の上部がミッドソール側空隙部６に向かって接近しかつ突出面１２ａが基準面４に向かって接近するように上下移動可能に構成されている。
【００３８】
一方、着用者の足が路面から離れると、外力Ｆが突出面１２ａに対して作用しなくなり、アウトソール３の付け根部３ａ，３ａが元の状態に戻るようになる。これにより、スタッド部１２は、ミッドソール側空隙部６の内部に収容された状態から脱して、突出面１２ａが付け根部３ａ，３ａを除くアウトソール３の基準面４から離反するように元の位置（図４に示す位置）まで下方に移動する。
【００３９】
（第１実施形態の作用効果）
以上のように、下部ミッドソール２ｂ（ミッドソール２の下部）には、スタッド部１２，１２，…の上側に対向する位置で下部ミッドソール２ｂの下面から凹陥したミッドソール側凹部２ｄ，２ｄ，…と下部ミッドソール２ｂとの間に囲まれたミッドソール側空隙部６，６，…が設けられている。この各ミッドソール側空隙部６を各スタッド部１２の真上に設けたことにより、接地時に路面等から受ける反発力などの外力Ｆが各スタッド部１２の突出面１２ａに作用すると、各スタッド部１２が各ミッドソール側空隙部６に向かって上下移動するようになる。これにより、ソール構造１のクッション性が発揮されるようになる。そして、ソール構造１では、各スタッド部１２を上下移動させるための要素として、従来技術のように各スタッド部１２の上側にアウトソール３上面から凹陥した凹部を特に設けなくてもよい。このため、各スタッド部１２の厚みが特に制約されず、各スタッド部１２の厚みを比較的大きくすることにより、各スタッド部１２に対する摩耗などの影響による経年劣化を抑制することが可能となる。したがって、本発明の第１実施形態に係るソール構造１では、適切なクッション性を保ちながら、摩耗などの経年劣化を抑制することができる。
【００４０】
また、各スタッド部１２は、突出面１２ａの表面積が各ミッドソール側凹部２ｄの開口面積よりも小さくなるように形成されている。このため、突出面１２ａに外力Ｆが作用したときに、突出面１２ａが基準面４に接近して、突出面１２ａを含めた各スタッド部１２の全体が各ミッドソール側空隙部６内に入り込みやすくなる。このように、各スタッド部１２の上下移動が促される結果、ソール構造１のクッション性をより一層高めることができる。
【００４１】
［第２実施形態］
図６および図７は、本発明の第２実施形態に係るソール構造１を示す。この実施形態では、第１実施形態と比較して、スタッド部１２の構造が一部異なっている。なお、この実施形態に係るソール構造１の他の構成は、第１実施形態に係るソール構造１の構成と同様である。このため、以下の説明では、図１〜図５と同じ部分について同じ符号を付し、その詳細な説明を省略する。
【００４２】
図６に示すように、この実施形態に係るソール構造１において、各スタッド部１２の突出面１２ａは、底面視で略台形状に形成されている。また、図７に示すように、各スタッド部１２の上側には、アウトソール３の上面から凹陥したアウトソール側凹部１３が形成されている。具体的に、アウトソール側凹部１３は、突出面１２ａの真上に配置されていて、アウトソール側凹部１３の開口部から底部に亘って先細るように形成されている。
【００４３】
スタッド部１２の上側（真上側）には、アウトソール側凹部１３と下部ミッドソール２ｂとの間に囲まれたアウトソール側空隙部１４が設けられている。スタッド部１２は、突出面１２ａの表面積がアウトソール側凹部１３の開口面積よりも小さくなるように形成されている。
【００４４】
そして、この実施形態のスタッド部１２は、突出面１２ａに外力が作用したときにアウトソール側空隙部１４が圧縮変形して、突出面１２ａが基準面４に向かって接近するように上下移動可能に構成されている。このように、第２実施形態のスタッド部１２では、上記第１実施形態と比較して、アウトソール側空隙部１４の圧縮変形により上下移動が促される結果、ソール構造１のクッション性をより一層高めることができる。
【００４５】
（第２実施形態の変形例）
図８に示すように、上記第２実施形態に係るソール構造１の変形例として、ミッドソール側空隙部６およびアウトソール側空隙部１４の内部にミッドソール側リブ部２１ａおよびアウトソール側リブ部２１ｂをそれぞれ設けた形態としてもよい。
【００４６】
具体的に、ミッドソール側リブ部２１ａは、ミッドソール側凹部２ｄの底部と一体形成されていて、底部からアウトソール３に向かって下方に延びている。
【００４７】
アウトソール側リブ部２１ｂは、アウトソール側凹部１３の底部と一体形成されていて、底部から下部ミッドソール２ｂに向かって上方に延びている。また、アウトソール側リブ部２１ｂは、その上端部がミッドソール側リブ部２１ａの下端部と当接するように配置されている。
【００４８】
このように、第２実施形態に係るソール構造１の変形例では、ミッドソール側リブ部２１ａおよびアウトソール側リブ部２１ｂを設けることにより、ソール構造１の製造時にアウトソール３と下部ミッドソール２ｂ（ミッドソール２）との圧着工程でミッドソール側空隙部６およびアウトソール側空隙部１４が不意に押し潰れされないようにその内部空間を維持することができる。
【００４９】
なお、製造後のソール構造１において、ミッドソール側リブ部２１ａおよびアウトソール側リブ部２１ｂは、突出面１２ａに外力Ｆが作用したときに変形可能となっている。このため、各リブ部２１ａ，２１ｂによりアウトソール側空隙部１４の圧縮変形が阻害されることはない。
【００５０】
［その他の実施形態］
上記各実施形態に係るソール構造１では、スタッド部１２の突出面１２ａが底面視で略矩形状に形成された形態を示したが、この形態に限られない。例えば、突出面１２ａは、底面視で円形状または三角形状に形成されていてもよい。
【００５１】
また、上記各実施形態に係るソール構造１では、ミッドソール側凹部２ｄの開口部から底部に亘って先細るような形状に形成された形態を示したが、この形態に限られない。例えば、ミッドソール側凹部２ｄを、その開口部から底部に亘って略ドーム状に湾曲形成してもよい。なお、上記第２実施形態で示したアウトソール側凹部１３についても、これと同様である。
【００５２】
以上、本発明についての実施形態を説明したが、本発明は上述の実施形態のみに限定されず、発明の範囲内で種々の変更が可能である。
【産業上の利用可能性】
【００５３】
本発明は、例えばウォーキングシューズやランニングシューズ、インドア競技用シューズ、または土や芝生の上で行われる球技用シューズなどに適用されるシューズとして産業上の利用が可能である。
【符号の説明】
【００５４】
１：ソール構造
２：ミッドソール
２ｄ：ミッドソール側凹部
３：アウトソール
４：基準面
６：ミッドソール側空隙部
１２：スタッド部
１２ａ：突出面
１３：アウトソール側凹部
１４：アウトソール側空隙部
２１ａ：ミッドソール側リブ部
２１ｂ：アウトソール側リブ部
【図１】
2019122544.tif 000003
【図２】
2019122544.tif 000004
【図３】
2019122544.tif 000005
【図４】
2019122544.tif 000006
【図５】
2019122544.tif 000007
【図６】
2019122544.tif 000008
【図７】
2019122544.tif 000009
【図８】
2019122544.tif 000010